(57)【要約】      （修正有）【課題】無線周波数識別（ＲＦＩＤ）通知システムを提供する。【解決手段】ＲＦＩＤデバイスは、ＲＦＩＤリーダデバイスから第１の周波数帯域によって送信される質問信号を受信する２１０ための受信器を含む。デバイスは、受信器で特定の質問信号を受信することに応答して、コンピューティングデバイス（例えば、移動電話）に第２の周波数帯域によって通知信号を送信するための送信器を含む。コンピューティングデバイスは、ＲＦＩＤリーダデバイスとは別個であり、第２の周波数帯域は、第１の周波数帯域とは別個である。通知信号は、特定の質問信号がデバイスで受信されたということを指示するデータを含む２２０。【選択図】図２
2014239421.tif 000002
【特許請求の範囲】
【請求項１】
無線周波数識別（ＲＦＩＤ）リーダデバイスから第１の周波数帯域によって送信される質問信号を受信するための受信器と、
前記受信器で特定の質問信号を受信することに応答して、コンピューティングデバイスに第２の周波数帯域によって通知信号を送信するための送信器とを備え、
前記コンピューティングデバイスは、前記ＲＦＩＤリーダデバイスとは別個であり、前記第２の周波数帯域は、前記第１の周波数帯域とは別個であり、前記通知信号は、前記特定の質問信号が前記デバイスで受信されたということを指示するデータを含む、デバイス。
【請求項２】
前記コンピューティングデバイスによる前記通知信号の受信によって、前記コンピューティングデバイスが、前記通知信号が前記コンピューティングデバイスで受信されたときの時間、日付、または両方を指示する情報を決定する、請求項１に記載のデバイス。
【請求項３】
前記コンピューティングデバイスによる前記通知信号の受信によって、前記コンピューティングデバイスが、前記通知信号が前記コンピューティングデバイスで受信された前記コンピューティングデバイスの地理的場所を指示する情報を決定する、請求項１または２に記載のデバイス。
【請求項４】
前記コンピューティングデバイスが移動通信デバイスであり、前記第２の周波数帯域が、パーソナルエリアネットワーク通信プロトコル、ワイヤレスローカルエリアネットワークプロトコル、セルラー通信プロトコル、またはそれらのプロトコルの組み合わせを使用する通信をサポートする周波数帯域を含む、請求項１から３のいずれか一項に記載のデバイス。
【請求項５】
前記ＲＦＩＤリーダデバイスが、前記第１の周波数帯域で質問応答信号を受信するように構成され、前記第２の周波数帯域で前記通知信号を受信するように構成されない、請求項１から４のいずれか一項に記載のデバイス。
【請求項６】
前記通知信号の受信によって、前記コンピューティングデバイスが、監視システムに情報を伝達し、前記情報が、前記特定の質問信号が前記デバイスにより受信されたということを指示し、前記通知信号が前記コンピューティングデバイスで受信された前記コンピューティングデバイスの地理的場所を指示し、かつ、前記通知信号が前記コンピューティングデバイスで受信されたときの時間を指示する、請求項１から５のいずれか一項に記載のデバイス。
【請求項７】
無線周波数識別（ＲＦＩＤ）デバイスの受信器で、ＲＦＩＤリーダデバイスから第１の周波数帯域によって送信される質問信号を受信することと、
前記質問信号を受信することに応答して、前記ＲＦＩＤデバイスから、コンピューティングデバイスに第２の周波数帯域によって通知信号を送信することとを含み、
前記コンピューティングデバイスは、前記ＲＦＩＤリーダデバイスとは別個であり、前記第２の周波数帯域は、前記第１の周波数帯域とは別個であり、前記通知信号は、前記質問信号が前記ＲＦＩＤデバイスで受信されたということを指示するデータを含む、方法。
【請求項８】
前記第２の周波数帯域が、パーソナルエリアネットワーク通信プロトコル、ワイヤレスローカルエリアネットワークプロトコル、セルラー通信プロトコル、またはそれらのプロトコルの組み合わせを使用する通信をサポートする周波数帯域を含む、請求項７に記載の方法。
【請求項９】
前記ＲＦＩＤリーダデバイスが、前記ＲＦＩＤデバイスの第２のユーザとは別個である第１のユーザにより動作させられ、前記第１のユーザが、前記ＲＦＩＤデバイスで記憶される情報にアクセスすることが許可されていない、請求項７または８に記載の方法。
【請求項１０】
前記コンピューティングデバイスによる前記通知信号の受信によって、前記コンピューティングデバイスが、前記ＲＦＩＤデバイスに関連する情報を決定し、前記情報が、前記通知信号が前記コンピューティングデバイスで受信されたときの前記コンピューティングデバイスの地理的場所を指示する、請求項７から９のいずれか一項に記載の方法。
【請求項１１】
前記コンピューティングデバイスが監視システムに関連し、前記コンピューティングデバイスによる前記通知信号の受信によって、前記監視システムが、前記コンピューティングデバイスの前記地理的場所に近接する区域内のカメラを動作させる、請求項１０に記載の方法。
【請求項１２】
前記コンピューティングデバイスによる前記通知信号の受信によって、前記コンピューティングデバイスが、監視システムに命令を送出し、前記命令によって、前記監視システムが、前記コンピューティングデバイスの前記地理的場所に近接する区域に対してカメラを含む空中移動プラットフォームを操縦し、前記監視システムが、前記区域で前記カメラを動作させる、請求項１０に記載の方法。
【発明の詳細な説明】
【技術分野】
【０００１】
本開示は一般的には、無線周波数識別デバイスに関係するものである。
【背景技術】
【０００２】
無線周波数識別（ＲＦＩＤ）システムによって、ＲＦＩＤリーダデバイスなどのＲＦＩＤデバイスは、狭域のワイヤレス無線周波数通信を介して、ＲＦＩＤタグ内に記憶される情報（例えば、タグ、ラベル、または識別子）を取得することが可能になる。ＲＦＩＤシステムを使用する一部の商業的な用途では、対象物の追跡および監視を容易にするために、対象物にＲＦＩＤタグを取り付ける場合がある。
【０００３】
ＲＦＩＤシステムを、支払システムにおいて使用することもまた可能である。例えばスマートカードは、会計情報およびＲＦＩＤトランスポンダを含み得る。ＲＦＩＤトランスポンダは、会計トランザクションを容易にするように、ＲＦＩＤリーダに会計情報を提供することが可能である。一部のそのようなＲＦＩＤシステムは、脆弱性を有する場合がある。例えば、ＲＦＩＤトランスポンダを含むスマートカード上に記憶される情報が、ＲＦＩＤトランスポンダと通信する能力があるＲＦＩＤリーダデバイスを動作させる無許可の第三者（例えば、犯罪者）に提供される場合がある。スマートカードから取得される情報は、個人識別情報および銀行口座情報を含み得るものであり、それらの情報が悪質な目的で使用される場合がある。その結果、会社、消費者、および政府は、盗取された身元情報ならびに危険にさらされている個人情報および私的情報の影響について、防止および解決するために相当量の金銭を費やす場合がある。
【発明の概要】
【０００４】
本明細書で開示する特定の実施形態は、無線周波数識別（ＲＦＩＤ）通知システムを説明する。ＲＦＩＤ通知システムによって、１つもしくは複数の通知（例えば、メッセージまたは音声出力）、情報（例えば、時間、日付、または地理的場所）、または両方が、コンピューティングデバイス（例えば、移動電話）により提供されることが可能になる。通知、情報、または両方は、情報（例えば、個人識別情報または銀行口座情報）を記憶するＲＦＩＤタグデバイス（例えば、ＲＦＩＤクレジットカード）などのＲＦＩＤデバイスでのアクティビティの発生を指示し得る。ＲＦＩＤデバイスでのアクティビティの発生は、ＲＦＩＤリーダデバイスからのＲＦＩＤデバイスでの無線周波数通信情報（例えば、質問信号）の受信に基づくものであり得る。通知、情報、または両方を、監視システム（例えば、セキュリティシステム）に提供することが可能であり、監視システムは、通知、情報、または両方に応答して、１つまたは複数の処置を遂行することが可能である。例えば監視システムは、通知、情報、または両方に基づいて識別された地理的場所での、１つまたは複数のカメラの動作を制御することが可能である。
【０００５】
コンピューティングデバイスにより提供される通知によって、ＲＦＩＤデバイスのユーザは、ＲＦＩＤデバイスにより受信される通信情報を監視することが可能になり得る。追加的には、ＲＦＩＤデバイスでのアクティビティの発生に応答して動作させられる１つまたは複数のカメラを介して取得されるデータによって、ユーザは、ＲＦＩＤデバイスの無許可のアクセスに関連する区域内のアクティビティを監視することが可能になり得る。ＲＦＩＤデバイスを取り巻く区域の範囲内のアクティビティを監視することが、ＲＦＩＤリーダデバイスを使用して、許可なしにＲＦＩＤデバイスからの情報にアクセスする第三者の逮捕の際に助力となる場合がある。
【０００６】
ＲＦＩＤデバイスでのアクティビティの発生を識別するために、ＲＦＩＤデバイスを、ＲＦＩＤリーダデバイスからのＲＦＩＤ質問信号を受信することに応答して、コンピューティングデバイスに無線周波数通信情報（例えば、通知信号）を送信するように構成することが可能である。コンピューティングデバイスに送信される無線周波数通信情報は、ＲＦＩＤ質問信号がＲＦＩＤデバイスで受信されたということを指示するデータを含み得る。ＲＦＩＤデバイスから受信される無線周波数通信情報に基づいて、コンピューティングデバイスは、コンピューティングデバイスがＲＦＩＤデバイスから無線周波数通信情報をいつ受信したかに基づいて、ＲＦＩＤデバイスがアクセスされたときの時間、日付、または両方を決定することが可能である。コンピューティングデバイスは、（例えば、全地球測位システムを使用して）ＲＦＩＤデバイスでのアクティビティがどこで発生したかを指示する地理的場所を決定することもまた可能である。コンピューティングデバイスは、ＲＦＩＤデバイスから無線周波数通信情報を受信することに応答してコンピューティングデバイスで決定される情報に基づいて、ＲＦＩＤデバイスで発生するアクティビティの通知を生成することが可能である。
【０００７】
特定の実施形態では、デバイス（例えば、ＲＦＩＤトランスポンダ）は、ＲＦＩＤリーダデバイスから第１の周波数帯域によって送信される質問信号を受信するための受信器を含む。デバイスは、受信器で特定の質問信号を受信することに応答して、コンピューティングデバイス（例えば、移動電話）に第２の周波数帯域によって通知信号を送信するための送信器を含む。コンピューティングデバイスは、ＲＦＩＤリーダデバイスとは別個であり、第２の周波数帯域は、第１の周波数帯域とは別個である。通知信号は、特定の質問信号がデバイスで受信されたということを指示するデータを含む。
【０００８】
特定の実施形態では、方法は、ＲＦＩＤデバイスの受信器で、ＲＦＩＤリーダデバイスから第１の周波数帯域によって送信される質問信号を受信することを含む。方法は、質問信号を受信することに応答して、ＲＦＩＤデバイスから、コンピューティングデバイスに第２の周波数帯域によって通知信号を送信することをさらに含む。コンピューティングデバイスは、ＲＦＩＤリーダデバイスとは別個であり、第２の周波数帯域は、第１の周波数帯域とは別個である。通知信号は、質問信号がＲＦＩＤデバイスで受信されたということを指示するデータを含む。
【０００９】
別の特定の実施形態では、コンピュータ可読媒体は、プロセッサにより実行されるときに、プロセッサに、コンピューティングデバイスで、ＲＦＩＤデバイスから第２の周波数帯域によって通知信号を受信させる命令を記憶する。通知信号は、ＲＦＩＤデバイスによる質問信号の受信に応答してＲＦＩＤデバイスから送信される。質問信号は、ＲＦＩＤリーダデバイスから第１の周波数帯域によって送信される。第２の周波数帯域は、第１の周波数帯域とは別個である。通知信号は、質問信号がＲＦＩＤデバイスで受信されたということを指示するデータを含む。命令は、通知信号を受信することに応答して、ＲＦＩＤデバイスに関連する情報を決定するように、プロセッサによりさらに実行可能である。情報は、通知信号がコンピューティングデバイスで受信されたときのコンピューティングデバイスの地理的場所を指示する。
【００１０】
デバイスであって、無線周波数識別（ＲＦＩＤ）リーダデバイスから第１の周波数帯域によって送信される質問信号を受信するための受信器と、受信器で特定の質問信号を受信することに応答して、コンピューティングデバイスに第２の周波数帯域によって通知信号を送信するための送信器であって、コンピューティングデバイスが、ＲＦＩＤリーダデバイスとは別個であり、第２の周波数帯域が、第１の周波数帯域とは別個であり、通知信号が、特定の質問信号がデバイスで受信されたということを指示するデータを含む、送信器とを備える、デバイス。
【００１１】
コンピューティングデバイスによる通知信号の受信によって、コンピューティングデバイスが、通知信号がコンピューティングデバイスで受信されたときの時間、日付、または両方を指示する情報を決定する、デバイス。コンピューティングデバイスによる通知信号の受信によって、コンピューティングデバイスが、通知信号がコンピューティングデバイスで受信されたコンピューティングデバイスの地理的場所を指示する情報を決定する、デバイス。コンピューティングデバイスが移動通信デバイスである、デバイス。受信器および送信器が、ＲＦＩＤトランスポンダの構成要素である、デバイス。
【００１２】
ＲＦＩＤリーダデバイスが、第１の周波数帯域で質問応答信号を受信するように構成され、第２の周波数帯域で通知信号を受信するように構成されない、デバイス。第１の周波数帯域がおおよそ８６０ＭＨｚから９６０ＭＨｚまでである、デバイス。第２の周波数帯域が、パーソナルエリアネットワーク通信プロトコル、ワイヤレスローカルエリアネットワークプロトコル、セルラー通信プロトコル、またはそれらのプロトコルの組み合わせを使用する通信をサポートする周波数帯域を含む、デバイス。送信器が、特定の質問信号に応答してＲＦＩＤリーダデバイスに第１の周波数帯域によって質問応答信号を送信するようにさらに構成され、質問応答信号が、デバイスで記憶される情報を含む、デバイス。
【００１３】
通知信号の受信によって、コンピューティングデバイスが、監視システムに情報を伝達し、情報が、特定の質問信号がデバイスにより受信されたということを指示し、通知信号がコンピューティングデバイスで受信されたコンピューティングデバイスの地理的場所を指示し、かつ、通知信号がコンピューティングデバイスで受信されたときの時間を指示する、デバイス。送信器が、特定の質問信号から導出されるエネルギーを使用して通知信号を送信する、デバイス。
【００１４】
無線周波数識別（ＲＦＩＤ）デバイスの受信器で、ＲＦＩＤリーダデバイスから第１の周波数帯域によって送信される質問信号を受信することと、質問信号を受信することに応答して、ＲＦＩＤデバイスから、コンピューティングデバイスに第２の周波数帯域によって通知信号を送信することであって、コンピューティングデバイスが、ＲＦＩＤリーダデバイスとは別個であり、第２の周波数帯域が、第１の周波数帯域とは別個であり、通知信号が、質問信号がＲＦＩＤデバイスで受信されたということを指示するデータを含む、送信することとを含む、方法。
【００１５】
方法は、第２の周波数帯域が、パーソナルエリアネットワーク通信プロトコル、ワイヤレスローカルエリアネットワークプロトコル、セルラー通信プロトコル、またはそれらのプロトコルの組み合わせを使用する通信をサポートする周波数帯域を含むということをさらに含む。方法は、ＲＦＩＤリーダデバイスが、ＲＦＩＤデバイスの第２のユーザとは別個である第１のユーザにより動作させられ、第１のユーザが、ＲＦＩＤデバイスで記憶される情報にアクセスすることが許可されていないということをさらに含む。
【００１６】
方法は、コンピューティングデバイスによる通知信号の受信によって、コンピューティングデバイスが、ＲＦＩＤデバイスに関連する情報を決定し、情報が、通知信号がコンピューティングデバイスで受信されたときのコンピューティングデバイスの地理的場所を指示するということをさらに含む。方法は、コンピューティングデバイスが監視システムに関連し、コンピューティングデバイスによる通知信号の受信によって、監視システムが、コンピューティングデバイスの地理的場所に近接する区域内のカメラを動作させるということをさらに含む。方法は、コンピューティングデバイスによる通知信号の受信によって、コンピューティングデバイスが、監視システムに命令を送出し、命令によって、監視システムが、コンピューティングデバイスの地理的場所に近接する区域に対してカメラを含む空中移動プラットフォームを操縦し、監視システムが、区域でカメラを動作させるということをさらに含む。
【００１７】
プロセッサにより実行されるときに、プロセッサに、コンピューティングデバイスで、無線周波数識別（ＲＦＩＤ）デバイスから第２の周波数帯域によって通知信号を受信させ、ただし通知信号が、ＲＦＩＤデバイスによる質問信号の受信に応答してＲＦＩＤデバイスから送信され、質問信号が、ＲＦＩＤリーダデバイスから第１の周波数帯域によって送信され、第２の周波数帯域が、第１の周波数帯域とは別個であり、通知信号が、質問信号がＲＦＩＤデバイスで受信されたということを指示するデータを含むように、受信させ、かつ、通知信号を受信することに応答して、ＲＦＩＤデバイスに関連する情報を決定させる、ただし情報が、通知信号がコンピューティングデバイスで受信されたときのコンピューティングデバイスの地理的場所を指示するように、決定させる、命令を記憶するコンピュータ可読媒体。
【００１８】
１つの態様ではコンピュータ可読媒体は、情報が、通知信号がコンピューティングデバイスで受信されたときの時間、日付、または両方を指示し、命令が、情報に基づいて通知を表示するように、プロセッサによりさらに実行可能であるということを含む。別の態様ではコンピュータ可読媒体は、第２の周波数帯域が、パーソナルエリアネットワーク通信プロトコル、ワイヤレスローカルエリアネットワークプロトコル、セルラー通信プロトコル、またはそれらのプロトコルの組み合わせを使用する通信をサポートする周波数帯域を有することを含む。
【００１９】
説明した特徴、機能、および利点を、様々な実施形態において独立的に実現することが可能であり、または、さらに他の実施形態において組み合わせることが可能であり、それらの実施形態のさらなる詳細を、以下の説明および図面を参照して開示する。
【図面の簡単な説明】
【００２０】
【図１】無線周波数識別（ＲＦＩＤ）通知システムのブロック線図である。
【図２】ＲＦＩＤ通知システムにより遂行される方法の特定の実施形態のフロー線図である。
【図３】本開示の１つまたは複数の態様を実装するために使用され得るコンピューティングシステムの特定の実施形態を例示する図である。
【発明を実施するための形態】
【００２１】
図１を参照すると、無線周波数識別（ＲＦＩＤ）通知システム１００のブロック線図が示されている。ＲＦＩＤ通知システム１００によって、スマートカード（例えば、クレジットカードまたはデビットカード）、または別の、ＲＦＩＤの使用が可能にされたデバイスからの情報（例えば、個人情報または会計情報）にアクセスする試みの検出が容易になり得る。通知によって、スマートカードにアクセスする許可された試みおよび／または無許可の試みの識別が可能になり得る。情報を記憶しＲＦＩＤ通信をサポートするスマートカードを使用してトランザクションを容易にすることが、よりありふれたことになるにつれて、そのような情報は、スマートカードの所有者が知らない状態で、または許可が与えられていない状態で、スマートカードからの情報へのアクセスの仕方を知得している窃盗犯に、よりアクセス可能になっている場合がある。第三者がスマートカードからの情報をスキャンすることが可能である１つの方途は、スマートカードの通信可能な距離の範囲内の公共区域内で（ＲＦＩＤリーダデバイス１２０とも呼ぶ）ＲＦＩＤ質問デバイスを使用することによるものである。そのようなＲＦＩＤリーダデバイス１２０を、（第１の無線信号１１６などの）ＲＦＩＤ質問信号を周期的に送信するように、ならびに、スマートカードから受信される応答（例えば、第３の無線信号１１８などの質問応答信号）を収集および記憶するようにプログラムすることが可能である。そのような質問応答信号は、公共区域内でスマートカード上に記憶される会計情報または他の個人情報を含み得る。
【００２２】
この様式で情報を収集することに関与している人間の識別および／または逮捕を容易にするように、ＲＦＩＤ通知システム１００はＲＦＩＤデバイス１１０を含み得る。ＲＦＩＤデバイス１１０は、ＲＦＩＤ通知システム１００が、特定の区域内でスマートカードをスキャンする試みを識別することを可能にする様式で、修正または構成されるスマートカードであり得る。例えばＲＦＩＤデバイス１１０は、ＲＦＩＤトランスポンダ１２４を含み得る。ＲＦＩＤトランスポンダ１２４を、第１の無線信号１１６などのＲＦＩＤ質問信号を受信するように、および、ＲＦＩＤデバイス１１０からの情報（例えば、第１の情報１１４）にアクセスする試みが行われたということを指示する（第２の無線信号１２２などの）通知信号を送信するように構成することが可能である。
【００２３】
特定の実施形態では、ＲＦＩＤ質問信号は、第１の周波数帯域で、ＲＦＩＤデバイス１１０で受信され、通知信号１２２は、第１の周波数帯域とは異なる第２の周波数帯域で、ＲＦＩＤデバイス１１０から送信される。例えば第１の周波数帯域を、おおよそ８６０ＭＨｚから９６０ＭＨｚまでの範囲のような、極超短波（ＵＨＦ）周波数範囲の中の周波数を使用するＲＦＩＤプロトコルをサポートするＲＦＩＤ通信のために使用することが可能である。第２の周波数帯域を、おおよそ３００ＭＨｚから３０００ＭＨｚまでである範囲の中の周波数をサポートするデータ通信のために使用することが可能である。第２の周波数帯域は、パーソナルエリアネットワーク通信プロトコル、ワイヤレスローカルエリアネットワークプロトコル、セルラー通信プロトコル、またはそれらのプロトコルの組み合わせを含む通信プロトコルを使用する通信をサポートすることが可能である。パーソナルエリアネットワークプロトコルは、Ｂｌｕｅｔｏｏｔｈ（登録商標）通信プロトコル（Ｂｌｕｅｔｏｏｔｈ（登録商標）はＢｌｕｅｔｏｏｔｈ（登録商標）  ＳＩＧ，  Ｉｎｃ．の登録商標である）、または赤外線データ通信プロトコルなどのプロトコルを含み得る。ワイヤレスローカルエリアネットワークプロトコルは、米国電気電子技術者協会（ＩＥＥＥ）８０２．１１ワイヤレス通信標準の１つによりサポートされるワイヤレス通信プロトコルを含み得る。セルラー通信プロトコルは、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、移動通信用グローバルシステム（ＧＳＭ（登録商標））、ＧＳＭ（登録商標）進化型高速データレート（ＥＤＧＥ）、進化型ＥＤＧＥ、ユニバーサル移動通信システム（ＵＭＴＳ）、汎用パケット無線サービス（ＧＰＲＳ）、第３世代パートナーシッププロジェクト（３ＧＰＰ）、３ＧＰＰ２、第４世代（４Ｇ）、ロングタームエボリューション（ＬＴＥ）、４Ｇ−ＬＴＥ、またはそれらの組み合わせを含み得る。
【００２４】
通知信号１２２を、ＲＦＩＤデバイス１１０の近くに近接して存在するコンピューティングデバイス１３０（例えば、移動電話）により受信することが可能であり、そのことによってコンピューティングデバイス１３０のユーザは、ＲＦＩＤデバイス１１０にアクセスする試みを指示する通知を受信することが可能である。例えば、コンピューティングデバイス１３０は可搬型であり得るものであり、そのことによってコンピューティングデバイス１３０は、ＲＦＩＤデバイス１１０を携行してもいるユーザにより携行される。したがってユーザは、公共区域を歩いて通るときにＲＦＩＤデバイス１１０およびコンピューティングデバイス１３０の両方を携行することが可能である。
【００２５】
コンピューティングデバイス１３０は、ＲＦＩＤリーダデバイス１２０による、ＲＦＩＤデバイス１１０からの情報１１４を取得する試みなどの、ＲＦＩＤデバイス１１０でのアクティビティの発生に関係する情報（例えば、第２の情報１３８）を決定することが可能である。コンピューティングデバイス１３０により決定される第２の情報１３８は、通知信号１２２がコンピューティングデバイス１３０で受信されたときの時間、コンピューティングデバイス１３０の物理的場所（例えば、地理的場所）、または両方を指示し得る。コンピューティングデバイス１３０は、第２の情報１３８（例えば、時間および物理的場所を指示するメッセージ）を含む表示を生成することにより、音声警告を提供することにより、またはコンピューティングデバイス１３０の振動を引き起こすことにより、ＲＦＩＤデバイス１１０にアクセスする試みの通知を提供することが可能である。
【００２６】
追加的に、または代替的に、コンピューティングデバイス１３０は、セキュリティ監視システム（例えば、監視システム１６０）に通信情報を送出して、ＲＦＩＤデバイス１１０にアクセスする試みを監視システムに通知すること、および、試みに関係する情報（例えば、第３の情報１５０）を提供することが可能である。第３の情報１５０は、コンピューティングデバイス１３０により決定される第２の情報１３８、監視システム１６０の動作を制御するための命令、他の情報、またはそれらの組み合わせを含み得る。
【００２７】
監視システム１６０は、カメラ１７０およびカメラ１８０などのカメラを含むサーベイランスシステムを制御して、ＲＦＩＤデバイス１１０にアクセスする試みに関係する追加的な情報を収集することが可能である。例えば監視システム１６０は、カメラ１７０、１８０を動作させて、ＲＦＩＤデバイス１１０にアクセスする試みが発生した地理的場所の近傍の範囲内の区域内でデータ（例えば、ビデオデータ）を収集することが可能である。データは、ＲＦＩＤリーダデバイス１２０を動作させる個人を逮捕するために使用可能であり得る。特定の実施形態では、カメラ１８０は移動型であり得る。例えばカメラ１８０を、空中移動プラットフォーム（例えば、クワッドコプタ）などの移動プラットフォーム上に装着することが可能である。移動型である場合カメラ１８０は、ＲＦＩＤデバイス１１０がアクセスされた可能性がある区域に対して、より近い位置に可動であり得るものであり、そのことによってデータが、区域内の人間に関して収集され得る。
【００２８】
特定の実施形態ではＲＦＩＤデバイス１１０は、ＲＦＩＤトランスポンダ１２４およびメモリデバイス１１２を含み得る。ＲＦＩＤトランスポンダ１２４は、回路１０２、ならびに、アンテナ１０４、受信器１０６、および送信器１０８を含む通信回路網を含み得る。アンテナ１０４は、受信器１０６および送信器１０８を含み得る、または、受信器１０６および送信器１０８に結合され得る。メモリデバイス１１２は、不揮発性メモリを含み得る。メモリデバイス１１２を、情報（例えば、第１の情報１１４）を記憶するように構成することが可能である。第１の情報１１４は、ＲＦＩＤデバイス１１０、または、ＲＦＩＤデバイス１１０に関連する、ＲＦＩＤデバイス１１０に取り付けられる、もしくはＲＦＩＤデバイス１１０を含む対象物を識別するための識別情報（例えば、タグ、ラベル、または識別子）を含み得る。第１の情報１１４は、個人識別情報、銀行口座情報、旅行識別、政府識別、ＲＦＩＤデバイス１１０に取り付けられる、ＲＦＩＤデバイス１１０に関連する、もしくはＲＦＩＤデバイス１１０を含む対象物に関連する情報、ＲＦＩＤデバイス１１０のユーザに関連する情報、または、それらの組み合わせを含み得る。
【００２９】
回路１０２を、メモリデバイス１１２に結合することが可能である。回路１０２は、集積回路を含み得る、または集積回路内部に含まれ得る。アンテナ１０４を、回路１０２に結合することが可能である。回路１０２を、メモリデバイス１１２内に記憶される第１の情報１１４を記憶する、処理する、または両方を行うように構成することが可能である。さらに回路１０２を、アンテナ１０４、受信器１０６、および送信器１０８の動作を制御するように構成することが可能である。例えば回路１０２は、アンテナ１０４での無線周波数信号の変調および復調を遂行することが可能である。特定の実施形態ではＲＦＩＤデバイス１１０は、中に回路１０２およびメモリデバイス１１２が集積され得るチップ（例えば、マイクロチップ）を含み得る。他の特定の実施形態ではＲＦＩＤデバイス１１０は、上にアンテナ１０４、ならびに、メモリデバイス１１２および回路１０２を含むチップが、装着される、または取り付けられる、基板フィルムを用いたはめ込みを含み得る。
【００３０】
ＲＦＩＤデバイス１１０を、アンテナ１０４を介して、ＲＦＩＤ質問デバイス（例えば、ＲＦＩＤリーダデバイス１２０）、コンピューティングデバイス１３０、または両方と通信するように構成することが可能である。例えば受信器１０６は、ＲＦＩＤデバイス１１０で記憶される第１の情報１１４を取得するためにＲＦＩＤリーダデバイス１２０から送信されるＲＦＩＤ質問信号などの第１の無線信号１１６を受信することが可能である。送信器１０８は、コンピューティングデバイス１３０に通知信号などの第２の無線信号１２２を送信することが可能である。通知信号１２２は、ＲＦＩＤデバイス１１０での第１の無線信号１１６の受信に基づく、ＲＦＩＤデバイス１１０でのアクティビティの発生を指示するデータを含み得る。通知信号１２２内に含まれるデータは、第１の情報１１４の少なくとも一部分（例えば、ＲＦＩＤデバイス１１０の識別子）を含み得る。
【００３１】
特定の実施形態ではＲＦＩＤリーダデバイス１２０は、ＲＦＩＤ通信プロトコルを使用して第１の周波数帯域でＲＦＩＤデバイス１１０に質問信号１１６を送出する。質問信号１１６を受信することに応答して、ＲＦＩＤデバイス１１０は、ＲＦＩＤ通信プロトコルとは別個である通信プロトコル（例えば、セルラー通信プロトコル）を使用して第２の周波数帯域で通知信号１２２を送出する。第２の周波数帯域は、第１の周波数帯域とは別個である。この実施形態ではＲＦＩＤリーダデバイス１２０は、ＲＦＩＤ通信プロトコルとは別個である通信プロトコルを使用して第２の周波数帯域で送信される通知信号１２２などの通信情報を受信するように構成され得ない。このように、別個の通信プロトコルを使用して第２の周波数帯域で通知信号１２２を送信することによって、ＲＦＩＤリーダデバイス１２０のユーザ（例えば、窃盗犯）が、ＲＦＩＤデバイス１１０がアクセスされたということを指示する通知を受信することを防止することが可能になる。
【００３２】
特定の実施形態では送信器１０８は、ＲＦＩＤリーダデバイス１２０にＲＦＩＤ質問応答信号などの第３の無線信号１１８を送信することもまた可能である。質問応答信号１１８を、ＲＦＩＤデバイス１１０での第１の無線信号１１６の受信に応答して送信することが可能である。第３の無線信号１１８を、ＲＦＩＤデバイス１１０で記憶される第１の情報１１４のすべてまたは一部分を提供するように送信することが可能である。このようにＲＦＩＤデバイス１１０は、スマートカードとして機能して、質問信号１１６を受信することに応答して情報１１４を送信すること、および、質問信号１１６が受信されたということをユーザに警告することが可能である。代替の実施形態ではＲＦＩＤデバイス１１０は、質問応答信号１１８を送信することによりＲＦＩＤリーダデバイス１２０に応答しない。
【００３３】
ＲＦＩＤデバイス１１０を、受動ＲＦＩＤデバイスまたは能動ＲＦＩＤデバイスとして動作するように構成することが可能である。ＲＦＩＤデバイス１１０が受動ＲＦＩＤデバイスとして動作するとき、ＲＦＩＤデバイス１１０は、第１の無線信号１１６を介して送信される電磁エネルギー場により提供されるエネルギーから動作のための電力を取得することが可能である。特定の実施形態では、ＲＦＩＤデバイス１１０が受動ＲＦＩＤデバイスとして動作するとき、送信器１０８は、第１の無線信号１１６から導出されるエネルギーを使用して、第１の無線信号１１６を受信することに応答して、第２の無線信号１２２、第３の無線信号１１８、または両方を送信することが可能である。ＲＦＩＤデバイス１１０が能動ＲＦＩＤデバイスとして動作するとき、ＲＦＩＤデバイス１１０は、ＲＦＩＤデバイス１１０と一体である、またはＲＦＩＤデバイス１１０に結合されるバッテリなどの電源により供給されるエネルギーから動作のための電力を取得することが可能である。
【００３４】
ＲＦＩＤリーダデバイス１２０を、ＲＦＩＤタグ、ＲＦＩＤトランスポンダ、スマートカード、またはＲＦＩＤデバイス１１０などの、ＲＦＩＤ通信を使用するデバイスと通信するように構成することが可能である。ＲＦＩＤリーダデバイス１２０は、送信器１２６および受信器１２８を含み得る。送信器１２６を、ＲＦＩＤデバイス１１０に第１の無線信号１１６を送信して、第１の情報１１４を取得するように構成することが可能である。受信器１２８を、ＲＦＩＤデバイス１１０から第３の無線信号１１８を受信するように構成することが可能である。第３の無線信号１１８は、ＲＦＩＤデバイス１１０で記憶される情報（例えば、第１の情報１１４）を包含し得る。ＲＦＩＤリーダデバイス１２０は、第１の情報１１４を表示または記憶して、第１の情報に基づいてアクティビティを遂行することが可能である。例えば第１の情報１１４を使用して、無許可の会計トランザクションを遂行することが可能である。
【００３５】
コンピューティングデバイス１３０は、ＲＦＩＤデバイス１１０などのＲＦＩＤデバイスから通信情報を受信するように構成される通信ユニット１３６を含み得る。例えば通信ユニット１３６を、ＲＦＩＤデバイス１１０から第２の無線信号１２２を受信するように構成することが可能である。通信ユニット１３６を、データ通信接続１４０を介して監視システム１６０などの監視システムに通信情報を送出するように構成することが可能である。データ通信接続１４０を、有線データ通信またはワイヤレスデータ通信として実装することが可能である。
【００３６】
特定の実施形態ではコンピューティングデバイス１３０は、移動通信デバイス（例えば、移動電話またはスマートフォン）、移動コンピューティングデバイス（例えば、タブレットコンピューティングデバイスまたは携帯情報端末デバイス）、またはパーソナルコンピュータを含む、またはそれらの内部に含まれる。コンピューティングデバイス１３０は、プロセッサ１３４、および、プロセッサ１３４にアクセス可能であるメモリ１３２を含み得る。メモリ１３２は、本明細書で説明する１つまたは複数の動作を遂行するようにプロセッサ１３４により実行可能である命令１４４を記憶することが可能である。命令１４４は、メモリ１３２内に記憶される、１つもしくは複数のコンピュータプログラム製品、１つもしくは複数のコンピュータソフトウェアアプリケーション（例えば、移動電話アプリケーション）、プログラムコード、またはそれらの組み合わせに含まれ得る。メモリ１３２は、コンピューティングデバイス１３０により決定される、情報（例えば、第２の情報１３８）、通知（例えば、通知１４６）、または両方を記憶することが可能である。第２の情報１３８、通知１４６、または両方は、ＲＦＩＤデバイス１１０で発生したアクティビティの指示を提供することが可能である。追加的に、または代替的に、コンピューティングデバイス１３０は、コンピューティングデバイス１３０に関連する、またはコンピューティングデバイス１３０にアクセス可能である、記憶デバイス（例えば、データベース、ネットワークメモリデバイス、またはサーバ）内に、第２の情報１３８、通知１４６、または両方を記憶することが可能である。
【００３７】
コンピューティングデバイス１３０は、ＲＦＩＤデバイス１１０から受信される通知信号１２２に基づいて第２の情報１３８を決定することが可能である。第２の情報１３８は、第２の無線信号１２２がコンピューティングデバイス１３０で受信されたときの時間、日付、または両方を指示し得る。第２の情報１３８は、通知信号１２２がコンピューティングデバイス１３０で受信されたコンピューティングデバイス１３０の物理的場所を指示し得る。物理的場所は、ＲＦＩＤデバイス１１０でのアクティビティが発生した区域に対応する地理的場所であり得る。特定の実施形態では物理的場所を、コンピューティングデバイス１３０と一体である、またはコンピューティングデバイス１３０に結合される、全地球測位システム（ＧＰＳ）１４２により提供される情報に基づいて決定することが可能である。
【００３８】
コンピューティングデバイス１３０は、ＲＦＩＤデバイス１１０でのアクティビティの発生に関係する第２の情報１３８を提供する表示を生成することが可能である。コンピューティングデバイス１３０は、複数の第２の無線信号１２２に対して決定された第２の情報１３８に基づいて、ＲＦＩＤデバイス１１０でのアクティビティの複数の発生の分析結果（例えば、傾向、パターン、比較、またはそれらの組み合わせ）を含む表示を生成することもまた可能である。コンピューティングデバイス１３０は、コンピューティングデバイス１３０に関連するディスプレイデバイスで表示を提示することが可能である。コンピューティングデバイス１３０は、ＲＦＩＤデバイス１１０でのアクティビティの発生を識別する、通知１４６（例えば、メッセージまたは音声出力）などの通知を提供することが可能である。通知１４６を、通知信号１２２、第２の情報１３８、または両方に基づいて決定することが可能である。通知１４６を、ディスプレイデバイスでメッセージとして表示することが可能である。
【００３９】
特定の実施形態ではコンピューティングデバイス１３０を、ＲＦＩＤデバイス１１０でのアクティビティの発生に関係する情報（例えば、第３の情報１５０）を含む通信情報を、データ通信接続１４０を介して監視システム１６０に送出するように構成することが可能である。第３の情報１５０は、通知１４６、第２の情報１３８、または両方を含み得る。第３の情報１５０は、監視システム１６０の動作を制御するための命令もまた含み得る。例えば命令は、監視システム１６０が、第２の情報１３８に基づいて識別される地理的場所でのカメラ（例えば、カメラ１７０またはカメラ１８０）の動作をどのように制御することになるかを指示し得る。カメラ１７０、１８０を介して取得されるデータ（例えば、ビデオデータ、音声データ、または両方）によって、ユーザは、ＲＦＩＤデバイス１１０でのアクティビティが発生した可能性がある地理的場所に関連する区域内のアクティビティを監視することが可能になり得る。
【００４０】
監視システム１６０は、プロセッサ１６４、および、プロセッサ１６４にアクセス可能であるメモリ１６２を含み得る。メモリ１６２は、本明細書で説明する動作を遂行するようにプロセッサ１６４により実行可能である命令を含み得る。監視システム１６０を、コンピューティングデバイス１３０などのコンピューティングデバイスから通信情報を受信するように構成することが可能である。例えば監視システム１６０は、データ通信接続１４０を介してコンピューティングデバイス１３０から第３の情報１５０を含む通信情報を受信することが可能である。メモリ１６２は、第３の情報１５０などの情報を記憶することが可能である。
【００４１】
監視システム１６０を、カメラ１７０またはカメラ１８０などのカメラの動作を制御するように構成することが可能である。カメラ１７０、１８０のいずれかまたは両方を、コンピューティングデバイス１３０から受信される通信情報に応答して動作させることが可能である。監視システム１６０は、それぞれデータ通信接続１７２およびデータ通信接続１８２を介して、カメラ１７０およびカメラ１８０に命令を含む通信情報を送出することにより、カメラ１７０およびカメラ１８０を動作させることが可能である。カメラ１７０、１８０のいずれかまたは両方は、移動カメラ、ビデオカメラ、セキュリティカメラ、またはそれらの組み合わせを含み得る。特定の実施形態ではカメラ１８０を、空中移動プラットフォーム１８４などの移動プラットフォーム上に装着することが可能である。例えばカメラ１８０を、クワッドコプタ、または、任意の他の無人もしくは有人の空中の乗物上に装着することが可能である。監視システム１６０は、地理的場所に関連する特定の区域内で空中移動プラットフォーム１８４を操縦するための操縦プラットフォーム１６６もまた含み得る。監視システム１６０は、データ通信接続１８２を介して空中移動プラットフォーム１８４と通信することが可能である。
【００４２】
特定の実施形態では監視システム１６０は、セキュリティシステムと関連し得るものであり、または、セキュリティシステム内で実装され得るものである。監視システム１６０に関連するユーザは、コンピューティングデバイス１３０に関連するユーザとは別個であり得る。監視システム１６０は、コンピューティングデバイス１３０の地理的場所とは別個である地理的場所に存在し得る。特定の実施形態では監視システム１６０は、コンピューティングデバイス１３０と関連し得る。例えば監視システム１６０は可搬型であり得るものであり、そのことによって監視システム１６０を、コンピューティングデバイス１３０のユーザにより携行することが可能である。監視システム１６０は、コンピューティングデバイス１３０から受信される第３の情報１５０に基づいて通知（例えば、メッセージ、ビデオ出力、音声出力、またはそれらの組み合わせ）を提供することが可能である。監視システムは、第３の情報１５０のすべてまたは一部分の表示を提供することもまた可能である。
【００４３】
動作中、ＲＦＩＤリーダデバイス１２０の第１のユーザは、ＲＦＩＤリーダデバイス１２０を動作させて、ＲＦＩＤデバイス１１０に質問して、ＲＦＩＤデバイス１１０上に記憶される第１の情報１１４の少なくとも一部分を取得することが可能である。第１の情報１１４の一部分を取得するために、ＲＦＩＤリーダデバイス１２０は、ＲＦＩＤデバイス１１０に第１の無線信号１１６（例えば、質問信号）を送信することが可能である。ＲＦＩＤデバイス１１０は、第２のユーザに関連し得るものであり、または第２のユーザにより動作させられ得る。例えば第１のユーザは、第１の情報１１４にアクセスする許可を有さず、ＲＦＩＤデバイス（例えば、クレジットカード）から第１の情報１１４（例えば、第２のユーザに関連する個人識別情報および銀行口座情報）を収集することを試みる窃盗犯である場合がある。窃盗犯は、ＲＦＩＤリーダデバイス１２０に、ＲＦＩＤデバイス１１０に質問信号１１６を周期的に送信させることにより、公共区域内でＲＦＩＤリーダデバイス１２０を動作させて、第１の情報１１４を取得する場合がある。別の例では第１のユーザは、ＲＦＩＤデバイス１１０からの第１の情報１１４（例えば、銀行口座情報）にアクセスして売買でのトランザクションを遂行するための、第２のユーザからの許可を有する、売買の販売代理人、または、自動化された精算もしくは購入のシステムである場合がある。販売代理人は、ＲＦＩＤリーダデバイス１２０に質問信号１１６を送信させることにより、売買が確立した状態でＲＦＩＤリーダデバイス１２０を動作させて、第１の情報１１４を取得する場合がある。
【００４４】
特定の実施形態では質問信号１１６を、ＲＦＩＤリーダデバイス１２０からＲＦＩＤデバイス１１０に第１の周波数帯域によって送信することが可能である。第１の周波数帯域は、おおよそ３００ＭＨｚから３０００ＭＨｚまでである範囲の中の周波数を使用する１つまたは複数のＲＦＩＤプロトコルを使用する通信をサポートすることが可能である。特定の実施形態では第１の周波数帯域は、おおよそ８６０ＭＨｚから９６０ＭＨｚまでである範囲の中のＵＨＦ通信をサポートすることが可能である。他の特定の実施形態では第１の周波数帯域は、３ｋＨｚから３０ｋＨｚまでの周波数範囲を有する超長波（ＶＬＦ）、３０ｋＨｚから３００ｋＨｚまでの周波数範囲を有する長波（ＬＦ）、３ＭＨｚから３０ＭＨＺまでの周波数範囲を有する短波（ＨＦ）、またはそれらの組み合わせなどの、より低い周波数範囲の中の周波数を含み得る。無線周波数スペクトルの異なる一部分を、通信の無線送信技術、プロトコル、用途、および範囲に基づいて選択することが可能である。第１の周波数帯域内の一部の周波数は、政府機関により規制される場合があり、または民間の通信事業者の実施許諾の制限により規制される場合がある。
【００４５】
質問信号１１６を受信することに応答して、ＲＦＩＤデバイス１１０は、コンピューティングデバイス１３０に第２の周波数帯域によって第２の無線信号１２２（例えば、通知信号）を送信することが可能である。コンピューティングデバイス１３０に送信される通知信号１２２は、質問信号１１６がＲＦＩＤデバイス１１０で受信されたときなどの、ＲＦＩＤデバイス１１０でのアクティビティの発生を指示するデータを含み得る。特定の実施形態ではＲＦＩＤデバイス１１０は、質問信号１１６から導出されるエネルギーに基づいて、通知信号１２２を送信するための電力を受信することが可能である。
【００４６】
第２の周波数帯域は、おおよそ３００ＭＨｚから３０００ＭＨｚまでである範囲の中の周波数を使用する１つまたは複数のＲＦＩＤプロトコルを使用する通信をサポートすることが可能である。他の特定の実施形態では第２の周波数帯域は、パーソナルエリアネットワーク通信プロトコル、ワイヤレスローカルエリアネットワークプロトコル、セルラー通信プロトコル、またはそれらのプロトコルの組み合わせを含む、１つまたは複数の他の通信プロトコルを使用する通信をサポートすることが可能である。パーソナルエリアネットワークプロトコルは、Ｂｌｕｅｔｏｏｔｈ（登録商標）通信プロトコルまたは赤外線データ通信プロトコルなどのプロトコルを含み得る。ワイヤレスローカルエリアネットワークプロトコルは、ＩＥＥＥ８０２．１１ワイヤレス通信標準の１つによりサポートされるワイヤレス通信プロトコルを含み得る。セルラー通信プロトコルは、ＣＤＭＡ、ＴＤＭＡ、ＦＤＭＡ、ＯＦＤＭＡ、ＳＣ−ＦＤＭＡ、ＧＳＭ（登録商標）、ＥＤＧＥ、進化型ＥＤＧＥ、ＵＭＴＳ、ＧＰＲＳ、３ＧＰＰ、３ＧＰＰ２、４Ｇ、ＬＴＥ、４Ｇ−ＬＴＥ、またはそれらの組み合わせを含み得る。第２の周波数帯域を、通信の無線送信技術、プロトコル、用途、および範囲に基づいて選択することが可能である。第２の周波数帯域内の一部の周波数は、政府機関により規制される場合があり、または民間の通信事業者の実施許諾の制限により規制される場合がある。
【００４７】
特定の実施形態では第２の周波数帯域は、第１の周波数帯域とは別個であり得る。例えば第１の周波数帯域が、ＲＦＩＤ通信プロトコルをサポートする場合があり、第２の周波数帯域が、セルラー通信プロトコルなどの別個の通信プロトコルをサポートする場合がある。この例では第１の周波数帯域は、ＲＦＩＤ通信プロトコルのために使用される、おおよそ８６０ＭＨｚから９６０ＭＨｚまでである範囲を有する場合があり、第２の周波数帯域は、特定の通信キャリアによりサポートされるセルラー通信プロトコルのために使用される周波数を含み得る。第２の周波数帯域による通知信号１２２の送信によって、コンピューティングデバイス１３０が、コンピューティングデバイス１３０がＲＦＩＤデバイス１１０のユーザにアクセス可能でないときに、ＲＦＩＤデバイス１１０でのアクティビティの発生に関係する情報を受信することが可能になり得る。例えばコンピューティングデバイス１３０は、コンピューティングデバイス１３０が通知信号１２２を受信する場合に、遠隔の場所にある場合がある。
【００４８】
特定の実施形態ではＲＦＩＤリーダデバイス１２０は、第１の周波数帯域で質問信号１１６を受信するように構成され得るものであり、第１の周波数帯域とは別個である第２の周波数帯域で通知信号１２２を受信するように構成され得ない。この実施形態ではＲＦＩＤリーダデバイス１２０を、第１の周波数帯域の範囲の外側の無線周波数を使用する他の通信プロトコルをサポートすることが可能でない、ＲＦＩＤ通信プロトコルを使用して通信するように構成することが可能である。このようにしてＲＦＩＤリーダデバイス１２０は、通知信号１２２を受信または検出することが可能でない。
【００４９】
質問信号１１６を受信することに応答して、ＲＦＩＤデバイス１１０は、ＲＦＩＤリーダデバイス１２０に第３の周波数帯域によって第３の無線信号１１８（例えば、質問応答信号）を送信することが可能である。ＲＦＩＤデバイス１１０は、質問信号１１６から導出されるエネルギーを使用して、質問応答信号１１８を送信するための電力を受信することが可能である。第３の周波数帯域は、おおよそ３００ＭＨｚから３０００ＭＨｚまでである範囲の中の周波数を使用する１つまたは複数のＲＦＩＤプロトコルを使用する通信をサポートすることが可能である。特定の実施形態では第３の周波数帯域は、第１の周波数帯域に含まれる周波数の１つまたは複数をサポートすることが可能である。
【００５０】
ＲＦＩＤリーダデバイス１２０に送信される質問応答信号１１８は、ＲＦＩＤデバイス１１０で記憶される第１の情報１１４の少なくとも一部分を含み得る。例えば質問応答信号１１８は、ＲＦＩＤデバイスの識別子を含む場合があり、個人識別情報、銀行口座情報、政府識別情報、口座情報、またはそれらの組み合わせなどの、ＲＦＩＤデバイス１１０で記憶される他の情報を含まない場合がある。特定の実施形態ではＲＦＩＤデバイス１１０は、質問信号１１６を受信することに応答して質問応答信号１１８を送信することを禁止する場合がある。質問応答信号１１８の送信を禁止することによって、無許可の第三者が、ＲＦＩＤリーダデバイス１２０により第１の情報１１４を取得することを防止することが可能になる。
【００５１】
コンピューティングデバイス１３０は、通知信号１２２がコンピューティングデバイス１３０によりいつ受信されるかに基づいて第２の情報１３８を決定することが可能である。例えば第２の情報１３８は、通知信号１２２がコンピューティングデバイス１３０で受信されたときの時間、日付、または両方を指示し得る。通知信号１２２が受信されたという指示は、ＲＦＩＤデバイス１１０が質問信号１１６を受信したということ、およびその質問信号１１６の受信によって、ＲＦＩＤデバイス１１０が通知信号１２２を送信したということを指示し得る。別の例では第２の情報１３８は、通知信号１２２がコンピューティングデバイス１３０により受信された物理的場所を指示し得る。物理的場所は、ＲＦＩＤデバイス１１０でのアクティビティが発生し、そのことによってＲＦＩＤデバイス１１０が通知信号１２２を送信した可能性がある地理的場所に近接し得る。追加的に、または代替的に、物理的場所は、ランドマーク、会社住所、住宅住所、会社の名前、地理的場所（例えば、全地球測位座標）、またはそれらの組み合わせに、関連または対応し得るものである。特定の実施形態では物理的場所は、コンピューティングデバイス１３０に関連する全地球測位システム（ＧＰＳ）１４２により提供される情報（例えば、全地球測位座標）に基づく地理的場所であり得る。
【００５２】
コンピューティングデバイス１３０は、コンピューティングデバイス１３０に関連するディスプレイデバイスで提示される、第２の情報１３８の少なくとも一部分を含む表示を生成することが可能である。表示内で提示される第２の情報１３８の一部分は、ＲＦＩＤデバイス１１０でのアクティビティの発生を指示し得る。例示のために、コンピューティングデバイス１３０は、通知信号１２２が受信されたときに対応する時間および日付を指示する情報を提示することが可能である。別の例ではコンピューティングデバイス１３０は、通知信号１２２が受信された物理的場所を指示する地理的地図を提示することが可能である。コンピューティングデバイス１３０は、第２の情報１３８に基づいてＲＦＩＤデバイス１１０でのアクティビティの分析結果（例えば、傾向、パターン、比較、またはそれらの組み合わせ）を決定することもまた可能である。特定の実施形態では、コンピューティングデバイスにより生成される表示は、ＲＦＩＤデバイス１１０で発生した複数のアクティビティの分析結果（傾向、パターン、比較、またはそれらの組み合わせ）を含み得る。分析結果を、第２の情報１３８に基づいて決定することが可能である。例えば表示は、多重の通知信号１２２が特定の物理的場所の近傍の範囲内で受信されたときの時間期間のパターンを例示するチャートを含み得る。チャートは、第１の情報１１４の無許可のアクセスが特定の時間の間に特定の物理的場所で取得された可能性があるかどうかを決定する際に有用であり得る。
【００５３】
通知信号１２２を受信することに応答して、コンピューティングデバイス１３０は、コンピューティングデバイス１３０のユーザに通知１４６を提供することが可能である。例えば通知１４６は、情報（例えば、通知信号１２２がコンピューティングデバイス１３０により受信されたときの時間、日付、またはコンピューティングデバイス１３０の所在）とともにディスプレイデバイスで提示されるメッセージであり得る。コンピューティングデバイス１３０は、通知信号１２２を受信することに応答して、データ通信接続１４０を介して監視システム１６０に第３の情報１５０を伝達することが可能である。第３の情報１５０は、ＲＦＩＤデバイス１１０でのアクティビティの発生を指示し得る。第３の情報１５０は、第２の情報１３８、通知１４６、ＲＦＩＤデバイス１１０で発生した複数のアクティビティの分析結果、またはそれらの組み合わせの少なくとも一部分を含み得る。特定の実施形態では第３の情報１５０は、監視システム１６０の動作を制御するための命令を含み得る。例えば第３の情報１５０は、通知信号１２２に基づいて識別される物理的場所の近傍の範囲内のカメラ１７０、１８０の各々または両方を方向設定するための命令を含み得る。
【００５４】
監視システム１６０は、第３の情報１５０を受信することに応答して、カメラ１７０、１８０のいずれかまたは両方を動作させることが可能である。例えばカメラ１７０およびカメラ１８０を、第３の情報１５０内で指示されるコンピューティングデバイス１３０の物理的場所（例えば、地理的場所）に近接する範囲内の区域で動作させることが可能である。特定の実施形態では操縦プラットフォーム１６６が、データ通信接続１８２を介して空中移動プラットフォーム１８４に命令を伝達して、コンピューティングデバイス１３０の物理的場所に近接する範囲内の空中移動プラットフォーム１８４を操縦することが可能である。監視システム１６０は、カメラ１８０の動作を制御して、空中移動プラットフォーム１８４が物理的場所の近傍の範囲内にあるときにデータを取得することが可能である。
【００５５】
監視システム１６０は、監視システム１６０のユーザに、第３の情報１５０に含まれる通知１４６を提供することが可能である。例えば通知１４６を、通知信号１２２に基づくＲＦＩＤデバイス１１０でのアクティビティの発生を指示するように監視システム１６０で表示することが可能である。別の例では通知１４６を、監視システム１６０で音声警告として提示することが可能である。監視システムは、第３の情報１５０のすべてまたは一部分を含む表示を提供することが可能である。例えば表示は、第２の無線信号１２２がコンピューティングデバイス１３０でいつ受信されたかを指示し得る。別の例では表示は、コンピューティングデバイス１３０で受信される第２の無線信号１２２に対応する物理的場所を識別する地理的地図を提示することが可能である。表示内で提供される情報は、監視システム１６０のユーザが、ＲＦＩＤデバイス１１０でのアクティビティがどこで発生した可能性があるかを決定することを支援することが可能である。そのような情報によって、ユーザは、いつ、およびどこで、カメラ１７０、１８０のいずれかまたは両方の動作を制御して、データ（例えば、ビデオデータ、音声データ、または両方）を取得すべきであるかを決定することが可能になり得る。データは、ＲＦＩＤデバイス１１０を取り巻く区域内の無許可のアクティビティを識別する際に有用であり得る。
【００５６】
ＲＦＩＤ通知システムによって、ＲＦＩＤデバイス（例えば、スマートカード）のユーザは、移動電話などのコンピューティングデバイスを使用して、コンピューティングデバイスにより受信される通知信号に基づいて、ＲＦＩＤデバイスで受信される何らかの通信情報を監視または追跡することが可能になり得る。通知信号によって、コンピューティングデバイスは、アクティビティがＲＦＩＤデバイスで、どこで（例えば、地理的場所）およびいつ（例えば、時間および日付）発生した可能性があるかを指示し得る、情報、通知、または両方を提供することがさらに可能になり得る。そのような情報および通知に基づいて、ＲＦＩＤデバイスのユーザは、第三者（例えば、窃盗犯）による、ＲＦＩＤデバイス上に記憶される私的情報への無許可のアクセスを得る試みを識別することが可能になり得る。ＲＦＩＤ通知システムによって、監視システムは、アクティビティがＲＦＩＤデバイスで発生した地理的場所の区域の範囲内のデータ（例えば、音声またはビデオデータ）を取得することがさらに可能になる。音声およびビデオデータは、許可なしにＲＦＩＤデバイスからの情報にアクセスした可能性がある第三者の逮捕の際に助力となる場合がある。
【００５７】
図２には、ＲＦＩＤ通知システムにより遂行される方法２００の特定の実施形態のフロー線図が示されている。方法２００を、図１のＲＦＩＤ通知システム１００のＲＦＩＤデバイス１１０により遂行することが可能である。
【００５８】
２１０で方法２００は、ＲＦＩＤデバイスの受信器で、ＲＦＩＤリーダデバイスから第１の周波数帯域によって送信される質問信号を受信することを含む。例えば、図１のＲＦＩＤデバイス１１０の受信器１０６は、ＲＦＩＤリーダデバイス１２０から第１の周波数帯域によって送信される質問信号１１６を受信することが可能である。
【００５９】
２２０で方法２００は、質問信号を受信することに応答して、ＲＦＩＤデバイスから、コンピューティングデバイスに第２の周波数帯域によって通知信号を送信することを含む。コンピューティングデバイスは、ＲＦＩＤリーダデバイスとは別個であり、第２の周波数帯域は、第１の周波数帯域とは別個である。通知信号は、質問信号がＲＦＩＤデバイスで受信されたということを指示するデータを含む。例えば、図１の質問信号１１６を受信することに応答して、ＲＦＩＤデバイス１１０の送信器１０８は、コンピューティングデバイス１３０に第２の周波数帯域によって通知信号１２２を送信することが可能である。コンピューティングデバイス１３０は、ＲＦＩＤリーダデバイス１２０とは別個であり、第２の周波数帯域は、第１の周波数帯域とは別個である。通知信号１２２は、質問信号１１６がＲＦＩＤデバイス１１０で受信されたということを指示するデータを含む。
【００６０】
図３は、通信をサポートするように動作可能である多目的コンピューティングデバイス３１０を含むコンピューティング環境３００のブロック線図である。例えばコンピューティングデバイス３１０、またはコンピューティングデバイス３１０の一部分は、図１のＲＦＩＤデバイス１１０、図１のＲＦＩＤリーダデバイス１２０、図１のコンピューティングデバイス１３０、または図１の監視システム１６０に対応し得る。
【００６１】
コンピューティングデバイス３１０は、少なくとも１つのプロセッサ３２０を含み得る。コンピューティングデバイス３１０の内部では、少なくとも１つのプロセッサ３２０が、システムメモリ３３０、１つもしくは複数の記憶デバイス３４０、１つもしくは複数の入出力インタフェース３５０、１つもしくは複数の通信インタフェース３６０、またはそれらの組み合わせと通信することが可能である。
【００６２】
システムメモリ３３０は、揮発性メモリデバイス（例えば、ランダムアクセスメモリ（ＲＡＭ）デバイス）、不揮発性メモリデバイス（例えば、読み出し専用メモリ（ＲＯＭ）デバイス、プログラマブル読み出し専用メモリ、およびフラッシュメモリ）、または両方を含み得る。システムメモリ３３０はオペレーティングシステム３３２を含み得るものであり、オペレーティングシステム３３２は、コンピューティングデバイス３１０をブートするための基本入出力システム、ならびに、コンピューティングデバイス３１０がユーザ、他のプログラム、および他のデバイスと対話することを可能にする完全オペレーティングシステムを含み得る。システムメモリ３３０は、１つまたは複数のアプリケーション３３４、プログラムデータ３３６、無線周波数識別（ＲＦＩＤ）通知動作３３７、およびアルゴリズム（複数可）３３８もまた含み得る。例えばＲＦＩＤ通知動作３３７は、図１のＲＦＩＤデバイス１１０、図１のＲＦＩＤリーダデバイス１２０、図１のコンピューティングデバイス１３０、図１の監視システム１６０、またはそれらの組み合わせにより遂行されるように本明細書で説明した、１つまたは複数の動作を含み得る。ＲＦＩＤ通知動作３３７は、図１のＲＦＩＤデバイス１１０、図１のコンピューティングデバイス１３０、または図１の監視システム１６０により遂行される、１つまたは複数の動作を含み得る。アルゴリズム３３８は、方法２００などの本明細書で説明した方法を遂行するように実行可能である命令を含み得る。プログラムデータ３３６は、アプリケーション３３４のそれぞれの機能を遂行するためにアプリケーション３３４により使用されるデータを含み得る。
【００６３】
少なくとも１つのプロセッサ３２０は、１つまたは複数の記憶デバイス３４０と通信することもまた可能である。例えば１つまたは複数の記憶デバイス３４０は、磁気ディスク、光学ディスク、またはフラッシュメモリデバイスなどの不揮発性記憶デバイスを含み得る。記憶デバイス３４０は、リムーバブルおよび非リムーバブルの両方のメモリデバイスを含み得る。記憶デバイス３４０を、オペレーティングシステム、アプリケーション、およびプログラムデータを記憶するように構成することが可能である。特定の実施形態では、システムメモリ３３０、記憶デバイス３４０、または両方は、有形の非一時的なコンピュータ可読媒体を含む。記憶デバイス３４０は、アプリケーション３３４の１つまたは複数により使用されるデータを記憶することが可能である。
【００６４】
少なくとも１つのプロセッサ３２０は、１つまたは複数の入出力インタフェース３５０と通信することもまた可能である。入出力インタフェース３５０は、入力インタフェース３５２を含み得る。１つまたは複数の入出力インタフェース３５０によって、コンピューティングデバイス３１０は、ユーザ対話を容易にするように１つまたは複数の入出力デバイス３７０と通信することが可能になり得る。例えば１つまたは複数の入出力インタフェース３５０を、ユーザから入力を受信するように、別のコンピューティングデバイスから入力を受信するように、またはそれらの組み合わせを行うように適合させることが可能である。入出力インタフェース３５０は、シリアルインタフェース（例えば、ユニバーサルシリアルバス（ＵＳＢ）インタフェース、または米国電気電子技術者協会（ＩＥＥＥ）インタフェース標準）、パラレルインタフェース、ディスプレイアダプタ、音声アダプタ、またはカスタムインタフェースを含む、１つまたは複数の標準インタフェースプロトコルに準拠し得るものである。入出力デバイス３７０は、ボタン、キーボード、ポインティングデバイス、ディスプレイ、スピーカ、マイクロホン、タッチスクリーン、および他のデバイスの何らかの組み合わせを含む、ユーザインタフェースデバイスおよびディスプレイを含み得る。
【００６５】
少なくとも１つのプロセッサ３２０は、１つまたは複数の通信インタフェース３６０を介して、他のコンピュータシステム３８０および／または他のデバイスと通信することが可能である。１つまたは複数の通信インタフェース３６０は、有線Ｅｔｈｅｒｎｅｔ（登録商標）インタフェース、ＩＥＥＥ８０２ワイヤレスインタフェース、Ｂｌｕｅｔｏｏｔｈ（登録商標）通信インタフェース、電気、光学、もしくは無線周波数のインタフェース、赤外線インタフェース、または、他の有線もしくはワイヤレスのインタフェースを含み得る。１つまたは複数の通信インタフェース３６０は、送信器３６２を含み得る。送信器３６２は、図１の送信器１０８、図１の送信器１２６、または、図１の通信ユニット１３６に含まれる送信器に対応し得る。１つまたは複数の通信インタフェース３６０は、受信器３６４を含み得る。受信器３６４は、図１の受信器１０６、図１の受信器１２８、または、図１の通信ユニット１３６に含まれる受信器に対応し得る。他のコンピュータシステム３８０は、ホストコンピュータ、サーバ、ワークステーション、可搬型コンピュータ、電話機、タブレットコンピュータ、または、任意の他の通信デバイスもしくは構成要素を含み得る。
【００６６】
本明細書で説明した実施形態の例示は、様々な実施形態の構造の包括的な理解をもたらすことが意図されている。例示は、本明細書で説明した構造または方法を利用する装置およびシステムの、要素および特徴のすべての完全な説明として役立つことは意図されていない。多くの他の実施形態が、本開示を再検討すれば当業者には明白となり得る。他の実施形態が、構造的および論理的な代用および変更が本開示の範囲から逸脱することなく行われ得るように、利用され得るものであり、本開示から導出され得る。例えば方法ステップを、例示において示されるものとは異なる順序で遂行することが可能であり、または、１つもしくは複数の方法ステップを省略することが可能である。したがって本開示および図を、制限的ではなく例示的であるとみなすべきである。
【００６７】
さらには、具体的な実施形態を本明細書で例示および説明したが、同じまたは同様の結果を実現するように設計される任意の以後の配置構成を、示した具体的な実施形態の代わりに用いることが可能であるということを十分認識されたい。本開示は、様々な実施形態の一切の以後の適合または変形を網羅することが意図されている。上記の実施形態、および、本明細書で具体的に説明しない他の実施形態の組み合わせが、本説明を再検討すれば当業者には明白となろう。
【００６８】
前述の詳細な説明において、様々な特徴を、本開示を簡素化する目的で、１箇所でグループ化した、または単一の実施形態において説明した場合がある。本開示を、請求する実施形態が、各々の請求項に明示的に記載されるよりも多くの特徴を必要とするという意図を反映すると解釈すべきではない。むしろ以下の特許請求の範囲が反映するように、請求する主題は、開示した実施形態の任意のものの特徴のすべてより少ないものを対象としたものであり得る。
【符号の説明】
【００６９】
１００  無線周波数識別（ＲＦＩＤ）通知システム
１０２  回路
１０４  アンテナ
１０６  受信器
１０８  送信器
１１０  ＲＦＩＤデバイス
１１２  メモリデバイス
１１４  第１の情報、情報
１１６  第１の無線信号、質問信号
１１８  第３の無線信号、質問応答信号
１２０  ＲＦＩＤリーダデバイス
１２２  第２の無線信号、通知信号
１２４  ＲＦＩＤトランスポンダ
１２６  送信器
１２８  受信器
１３０  コンピューティングデバイス
１３２  メモリ
１３４  プロセッサ
１３６  通信ユニット
１３８  第２の情報
１４０  データ通信接続
１４２  全地球測位システム（ＧＰＳ）
１４４  命令
１４６  通知
１５０  第３の情報
１６０  監視システム
１６２  メモリ
１６４  プロセッサ
１６６  操縦プラットフォーム
１７０  カメラ
１７２  データ通信接続
１８０  カメラ
１８２  データ通信接続
１８４  空中移動プラットフォーム
２００  方法
３００  コンピューティング環境
３１０  多目的コンピューティングデバイス、コンピューティングデバイス
３２０  プロセッサ
３３０  システムメモリ
３３２  オペレーティングシステム
３３４  アプリケーション
３３６  プログラムデータ
３３７  無線周波数識別（ＲＦＩＤ）通知動作
３３８  アルゴリズム（複数可）
３４０  記憶デバイス
３５０  入出力インタフェース
３５２  入力インタフェース
３６０  通信インタフェース
３６２  送信器
３６４  受信器
３７０  入出力デバイス
３８０  他のコンピュータシステム
【図１】
2014239421.tif 000003
【図２】
2014239421.tif 000004
【図３】
2014239421.tif 000005
【外国語明細書】
2014239421000001.pdf
2014239421000002.pdf
2014239421000003.pdf
2014239421000004.pdf